(57)【特許請求の範囲】
【請求項１】
樹脂製の底部部材と樹脂製の表部部材とからなるボックス体の内部に、電子部品を搭載した制御回路基盤を収納し、底部部材と制御回路基盤との間に金属板を介装してなる制御回路装置において、
前記底部部材は、複数の突片部を側部に形成すると共に、該突片部にボスを起設し、
前記表部部材は、前記突片部の夫々と重合する複数の重合部を側部に形成すると共に、該重合部に前記ボスが貫通するボス穴を形成し、
前記重合部にボスが突出した状態でボスを溶着することにより、破壊しない限り前記ボックス体を開放できなくし、該ボックス体を開放した場合に開放した痕跡を残せる不正開放防止用結合部を形成し、
前記金属板は、
前記不正開放防止用結合部の内の何れかと対応させて金属突片部を側部に形成すると共に、該金属突片部に前記ボスが貫通する穴を形成し、
前記金属突片部を前記突片部と重合部との間に挿入させたことを特徴とする制御回路装置。
【発明の詳細な説明】
【０００１】
【発明の属する技術分野】
本発明は、パチンコ遊技機等の遊技機における遊技盤の裏面側に取り付けられる各種制御装置等の制御回路装置に関するものである。
【０００２】
【従来の技術】
従来の遊技機、例えば、パチンコ遊技機において、その遊技盤の裏面側には、各種役物装置等を制御する役物制御装置や球排出装置を制御する球排出制御装置等の制御回路を回路ボックス内に収容した制御回路装置が備えられている。
このような制御回路装置は、各種ＩＣ（Ｉｎｔｅｇｒａｔｅｄ  Ｃｉｒｃｕｉｔ：集積回路）や抵抗等の各種電子部品が多数実装された制御回路基盤を、金属製や樹脂製の回路ボックス内に収容して、外部からの保護を図ると共に、遊技機の裏面側である本体枠（前面枠）、或いは基枠体としての裏メカベース盤の裏面や遊技盤の裏面側への取り付けを可能としている。
そして、例えば、役物制御装置においては、その制御回路内に、ＣＰＵ（Ｃｅｎｔｒａｌ  Ｐｒｏｃｅｓｓｉｎｇ  Ｕｎｉｔ：中央処理装置）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）が備えられ、そのＲＯＭに記憶されたプログラムに従い、例えば、大当たりの発生制御などの遊技制御が行われるようになっている。
【０００３】
なお、制御回路装置には、その制御回路装置と役物装置や球排出装置等の各種装置とを電気的に接続するためのコネクタ部が、回路ボックスの側面に形成された開口部から外部に露出した状態の制御回路基盤端部に備えられている。
また、両端にコネクタが備えられた各種配線を、制御回路装置と役物装置や球排出装置等の各種装置に備えられた各コネクタ部に対し、コネクタをそれぞれ差し込むことによって、電気的接続を行っている。
【０００４】
一般的に、制御回路装置は、底部部材と表面の蓋部材とを重ねたボックス体の内部に制御回路基盤を収納した構成となっている。
そして、このようなボックス体内の制御回路基盤に対する不正行為は、蓋部材を外してボックス体を開放し、内部の制御回路基盤に備えられたＲＯＭ等の電子部品を交換（或いはデータ書き換え）することにより、正規な遊技性能ではない不正な遊技性能を出すように行われていた。
このため、制御回路装置においては、ボックス体を一旦開放したら、そのことが分かるような封印シールを底部部材と蓋部材との重ね部に貼ったり、或いは、ボックス体の表面部をクリアな樹脂により構成して、内部の制御回路基盤の状態を外部から見えるようにしていた。
【０００５】
【発明が解決しようとする課題】
しかし、従来の制御回路装置は、底部部材と蓋部材を構造的にはビス止めのみで組み付けてボックス体を構成していたため、蓋部材を外してボックス体を開放することは容易なものであった。
また、底部部材と蓋部材との重ね合わせ部に貼った封印シール（剥がすと痕跡が残ってしまうシール）により、ボックス体の不正な開放を防止するようにした場合、これは安易な不正行為者には効果があるが、非常に専門的な不正行為者については、例えば、偽の封印シールを持っているため、効果が無くなってしまっているのが実情である。
【０００６】
そして、これらの不正行為を防止するためには、ボックス体を開放不可能或いは開放が非常に困難な構造にすることが考えられる。
しかし、遊技店においては、一旦設置した遊技機に対して、抜き打ち的に公的機関により不正基盤かどうかの検査、即ち、ＲＯＭの内容検査が行われており、そのような検査を行う場合、前述の如くボックス体の開放が不可能な場合であると検査ができなくなってしまう。
そのため、ボックス体を破壊して開放することも考えられるが、ボックス体を破壊してしまうと、検査後にそのボックス体を開放不可能な状態に戻して再使用することができなくなってしまう。
【０００７】
そこで、本発明の目的は、制御回路基盤を収容したボックス体の不正な開放を防止可能とした上で、検査の際の開放を可能とすると共に、その検査後は不正開放防止構造に戻せるようにした制御回路装置を提供することにある。
そして、本発明は、制御回路装置において、ボックス体を不正に開放する行為があっても、そのボックス体を開放する不正が行われたことが痕跡により容易に分かるようにすることも目的としている。
さらに、本発明は、検査後の不正開放をより確実に防止可能とすることも目的としている。
【０００８】
【課題を解決するための手段】
以上の課題を解決すべく請求項１に記載の発明は、
樹脂製の底部部材と樹脂製の表部部材とからなるボックス体の内部に、電子部品を搭載した制御回路基盤を収納し、底部部材と制御回路基盤との間に金属板を介装してなる制御回路装置において、
前記底部部材は、複数の突片部を側部に形成すると共に、該突片部にボスを起設し、
前記表部部材は、前記突片部の夫々と重合する複数の重合部を側部に形成すると共に、該重合部に前記ボスが貫通するボス穴を形成し、
前記重合部にボスが突出した状態でボスを溶着することにより、破壊しない限り前記ボックス体を開放できなくし、該ボックス体を開放した場合に開放した痕跡を残せる不正開放防止用結合部を形成し、
前記金属板は、
前記不正開放防止用結合部の内の何れかと対応させて金属突片部を側部に形成すると共に、該金属突片部に前記ボスが貫通する穴を形成し、
前記金属突片部を前記突片部と重合部との間に挿入させたことを特徴としている。
【００２２】
【発明の実施の形態】
以下に、本発明に係る制御回路装置の実施の各形態例を図１から図９に基づいて説明する。
【００２３】
＜第１の実施の形態例＞
先ず、図１は本発明を適用した一例としての遊技機を示すもので、本体枠に遊技盤及び基枠体を取り付けた状態の背面図であり、図中、１は本体枠（前面枠）、２は基枠体（裏メカベース盤）、３は遊技盤、４は上部入賞球案内部材、５は下部入賞球案内部材、６は可変表示装置（メイン役物装置）、７，８は中継基盤、１１は制御回路装置（役物制御回路装置）、１２は電源部、１３はコンセントプラグ、１４は球発射装置、１５は他の制御回路、１６，１７，１８はフレキシブルプリント配線基板である。
【００２４】
この遊技機は、図示のように、本体枠である前面枠１の裏面側に、その裏側の基枠体をなす裏メカベース盤２が取り付けられて、この裏メカベース盤２より前方に位置する遊技盤３が、前面枠１の内方に取り付けられている。
遊技盤３の図示しない前面側は、周知のように、遊技領域となっていて、その遊技領域には、可変表示装置６、図示しない変動入賞装置、入賞球センサー、装飾用のＬＥＤやランプなどの各種電気的機器が配設されている。
遊技盤３の裏面には、入賞球流路を有する上下に分割された上部入賞球案内部材４と下部入賞球案内部材５が取り付けられ、上部入賞球案内部材４には、メイン役物装置としての可変表示装置６が取り付けられている。
この可変表示装置６の背面に中継基盤７が配設されており、また、他の中継基盤８も設けられている。
【００２５】
そして、前述した遊技領域に備えられる可変表示装置６、変動入賞装置、入賞球センサー、装飾用のＬＥＤやランプなどの各種電気的機器の制御を行う制御回路装置である役物制御回路装置１１が設けられている。
この役物制御回路装置１１は、裏メカベース盤２に取り付けられ、即ち、入賞球案内部材４，５をほぼ囲むような大きさの開口部２ａを有する裏メカベース盤２の下部に後述するようにして取り付けられる。
裏メカベース盤２を含む前面枠１の裏面側に、電源部１２、コンセントプラグ１３、球発射装置１４、他の制御回路１５などが設けられており、役物制御回路装置１１と中継基盤７，８及び他の制御回路１５とはフレキシブルプリント基板１６，１７，１８により接続されている。
【００２６】
次に、図２は前記役物制御回路装置１１の拡大斜視図で、図３はその分解斜視図であり、これらの各図中、２１はボックス体、２２は底部部材、２３は表部部材（蓋部材）、２４は役物制御回路基盤、２５は電子部品、２６はコネクタ部、３５は折り返し部、４１，４２は重合部（内方折曲部）、４１ａ，４２ａは結合穴、４７，４８は重合部、４７ａ，４８ａは結合穴、４９はスリット、６１はリベット、６２は芯材引っ張り棒、６３は封印シールである。
即ち、ボックス体２１は、金属製の底部部材２２と表部部材としての樹脂製の蓋部材２３とから構成されており、底部部材２２上に固定されて蓋部材２３により覆われる役物制御回路基盤２４上には、多種の電子部品２５が実装されると共に、その一側部にコネクタ部２６が実装して備えられている。
このコネクタ部２６は、蓋部材２３の一側面部の下部に沿って切欠形状に形成したコネクタ部用開口部２７から外部に露出しており、このコネクタ部用開口部２７がある側面部に複数の放熱用開口部２８，２８，２８，…が形成されている。
【００２７】
底部部材２２は、静電気等の電気的な信号ノイズに強くなるようグランド面を構成する金属製のものを採用しており、その底板部の三辺部に、蓋部材２３内に入る折り返し片３１，３２，３３，３４，３４を形成すると共に、底板部の平行する二辺部に、折り返し片３２，３４の間と折り返し片３３，３４の間に位置して、蓋部材２３の側面部と面一のフラット面となる折り返し片３５，３５を形成している。
また、底板部の蓋部材２３の四隅部と対応する部分には、取付片３６，３６，３６，３６が起設されると共に、ドライバー挿入穴３７，３７，３７，３７が形成されている。
そして、底板部の折り返し片３１と平行する一辺部に上方への短い折り曲げ片３８を形成すると共に、その両側辺部の取付片３６，３６との間にも上方への短い折り曲げ片３９，３９を形成している。
【００２８】
以上の底部部材２２の各折り返し片３１，３２，３３，３４，３４，３５，３５および折り曲げ片３８の下部には、底板部の上面に沿うようにして、放熱口を兼ねると共に、不正防止対策のために役物制御回路基盤２４の裏面を覗くための放熱口兼覗き穴用開口部が図示の如く形成されている。
そして、折り返し片３２，３４の間と折り返し片３３，３４の間に位置して、蓋部材２３の側面部と面一のフラット面となる折り返し片３５，３５の上部には、蓋部材２３の上面部の下側への重合部をなす縦長の内方折曲部４１と横長の内方折曲部４２がそれぞれ形成されている。
なお、これらの各内方折曲部４１，４２の一端部側には、２個ずつの結合穴４１ａ，４１ａ及び結合穴４２ａ，４２ａがそれぞれ形成されている。
また、折り返し片３１と平行する折り曲げ片３８は、役物制御回路基盤２４のコネクタ部２６を備える一側部を載せるようになっている。
【００２９】
蓋部材２３は、下面が開口するボックス形状をなす樹脂製で、特に、不正防止対策のために内部の役物制御回路基盤２４上を透視できる透明なクリア部材により形成したものを採用しており、その一側面部の下部に沿って切欠形状にコネクタ部用開口部２７を形成している。
なお、蓋部材２３は、その内部の四隅部に取付ボス４３，４３，４３，４３を突設している。
また、コネクタ部用開口部２７を有する側面部から直交方向の平行する二側面部には、前記底部部材２２の折り返し片３５，３５が合致して面一のフラット面となるようにする切欠形状部４４，４４を形成すると共に、その両側方に外側へ突出する取付ボス４５，４５，４５を突設している。これら各取付ボス４５，４５，４５には、前述した遊技機の遊技盤裏面に対する取付用のワンタッチ止め具４６，４６，４６が組み込まれている。
【００３０】
そして、蓋部材２３の上面部で、底部部材２２の前記内方折曲部４１，４２との重合部４７，４８には、前記内方折曲部４１，４２の結合穴４１ａ，４１ａ，４２ａ，４２ａと各々合致する結合穴４７ａ，４７ａ及び結合穴４８ａ，４８ａがそれぞれ形成されている。
さらに、これら各結合穴４７ａ，４７ａ，４８ａ，４８ａの周囲には、上下方向に貫通して、［］状に対向して対をなすスリット４９，４９，４９，４９，…がそれぞれ形成されている。
【００３１】
役物制御回路基盤２４は、前述した遊技機の役物装置や球排出装置等の各種装置を制御するために、ＲＯＭ等の電子部品２５を基盤上に多数実装すると共に、基盤上の一側部にコネクタ部２６を実装したものである。
この役物制御回路基盤２４には、蓋部材２３の四隅部に対応する取付穴５１，５１，５１，５１が形成されていて、その内方の基盤上に、抵抗器、半導体、ＩＣ等の多数の各種電子部品２５が実装されている。
そして、制御回路基盤４の取付穴５１，５１部分から延長された一側部上には、多数の各種コネクタ５２が実装して備えられている。
さらに、蓋部材２３の表面部で一方の切欠形状部４４がある側には、遊技機の確率設定キー５３が備えられている。
なお、取付穴５１の周りは、役物制御回路基盤２４の金属面（グランド面）が剥き出していて、ビス止めすることにより底部部材２２と接触状態となる。また、図中、５４は電源コード、５５は電源差込みソケットである。
【００３２】
次に、以上の役物制御回路装置１１の組み立てについて説明する。
予め確率設定キー５３を蓋部材２３に組み付けておいてから、図３に示すようにして、底部部材２２の取付片３６，３６，３６，３６上に役物制御回路基盤２４の取付穴５１，５１，５１，５１部分を重ねて、さらに、その取付穴５１，５１，５１，５１部分上に蓋部材２３の取付ボス４３，４３，４３，４３を載せて、底部部材２２のドライバー挿入穴３７，３７，３７，３７から図示しないビスを入れてドライバーでねじ込む。
これにより、底部部材２２上に役物制御回路基盤４２を挟んで蓋部材２３が結合された状態となり、従って、役物制御回路装置１１のボックス体２１が組み立てられる。
【００３３】
このようなボックス体２１の組立状態において、図２に示したように、蓋部材２３の側面部の下部に沿って切欠形状に形成したコネクタ部用開口部２７から外部に、役物制御回路基盤２４の一側部に沿って備えたコネクタ部２６が露出している。
また、蓋部材２３の平行する二側面部の切欠形状部４４，４４には、底部部材２２の折り返し片３５，３５がそれぞれ合致して面一のフラット面となっている。
なお、これら折り返し片３５，３５の上部の内方折曲部４１，４２は、蓋部材２３の上面部の重合部４７，４８の下側にそれぞれ接触状態となっている。
【００３４】
以上の役物制御回路装置１１は、そのボックス体２１（蓋部材２３）の周囲の取付ボス４５，４５，４５において、各々のワンタッチ止め具４６，４６，４６の押し込み操作により、図１に示されるように、裏メカベース盤２の開口部２ａの下部に取り付けられる。
ところで、以上のような役物制御回路装置１１のボックス体２１の不正開放防止用結合構造として第１の実施の形態例では、図４に拡大して示すように、リベット止めにより行っている。
【００３５】
即ち、この第１の実施の形態例では、ボックス体２１の上面部の対向する二側部において、底部部材２２の折り返し片３５，３５の上部の内方折曲部４１，４２と蓋部材２３の上面部の重合部４７，４８とがそれぞれ重なった部分を、図２から図４に示したように、リベット止めすることにより不正開放防止用結合構造としている。
具体的には、図３に示すように、上方から蓋部材２３の結合部４７，４８の各１個ずつの結合穴４７ａ，４８ａ、底部部材２２の内方折曲部４１，４２の各１個ずつの結合穴４１ａ，４２ａにリベット６１，６１をそれぞれ挿入して、そのリベット６１の図示しない中空部内の芯材と一体の芯材引っ張り棒６２を引っ張ることにより、芯材の頭が、外側の中空部を広げることによってリベット６１の固定が行われる。その後、芯材引っ張り棒６２は芯材を残して切断される。
【００３６】
これにより、底部部材２２の内方折曲部４１，４２と、蓋部材２３の上面部の重合部４７，４８とが、リベット６１，６１によってそれぞれ強固に結合される。
従って、これらの各リベット６１，６１の部分が不正開放防止用結合部となっており、また、残る各１個ずつの結合穴４７ａ，４８ａの部分が、後述するように、予備の不正開放防止用結合部となる。
そして、図２及び図４に示したように、底部部材２２の折り返し片３５，３５と蓋部材２３の切欠形状部４４，４４の上部から表面部にかけて封印シール６３，６３をそれぞれ貼付する。
この場合、一方の重合部４８側のリベット６１も封印シール６３により同時に封印しておく。また、リベット６１部の破壊痕跡が見えるように一部を封印すると、より効果的である。
なお、ボックス体２１を開放する場合は、リベット６１による不正開放防止用結合部を破壊しなければならず、即ち、リベット６１の周りの［］状に対向して対をなすスリット４９，４９に、図示しないニッパ等の工具や刃物を差し込んで、その［］状のスリット４９，４９間の部分を切断しなければならない。
【００３７】
以上の通り、役物制御回路装置１１において、ボックス体２１の不正開放防止止めを行ったことにより、ボックス体２１の不正な開放を防止できる。また、蓋部材２３の表面がクリアであることから、不正開放防止用の止め部材（リベット６１）の表側ばかりではなく裏側も良く見ることができるため、正常なものかどうかを容易に確認できる。
しかも、ボックス体２１の不正開放防止をリベット６１止めにより行ったことで、ボックス体２１の閉鎖状態を確実に行うことができ、不正開放をより防止できる。また、蓋部材２３のリベット６１止め部分を樹脂としたことで、リベット６１止めを壊してボックス体２１の不正開放を行うと、樹脂部が破壊されるため、不正が行われたことが後から分かる。
そして、蓋部材２３の上面部による重合部４７，４８（底部部材２２の折り返し３５，３５の上部の内方折曲部４１，４２）に不正開放防止止めを行うので、作業性が良い。また、ボックス体２１の上面部で不正開放防止止めが行われるので、蓋部材２３のクリアな表面から、不正開放防止用の止め部材（リベット６１）の裏側を良く見ることができ、正常なものかどうか容易に確認できる。
さらに、ボックス体２１のリベット６１止めの位置と封印シール６３の位置を近傍にしたことにより、ボックス体２１の不正開放が行われていない正常な役物制御回路装置１１かどうかの確認が一目で簡単に行える。
【００３８】
そして、第１の実施の形態例の役物制御回路装置１１によれば、特に、以下に列挙する効果を発揮できる。
（１）複数箇所に形成された不正開放防止用結合部の内の何れかを予備として、不正開放防止止めを行わないようにしたため、抜き打ち的に行われるＲＯＭ検査時や、回路の修理時に、予め止められている不正開放防止用結合部、即ち、リベット６１の周りの［］状のスリット４９，４９間の部分を破壊して、検査や修理を行った後、再度閉鎖する場合に、予備として備えられた不正開放防止用結合部、即ち、残る各１個ずつの結合穴４７ａ，４８ａの部分をリベット止めすることにより、再度不正な開放を防止するようにボックス体２１を閉められるので、従来のような問題点を解消できる。
【００３９】
（２）不正開放防止用結合部は、ボックス体２１を開放した場合には、その開放した痕跡が残るようにしたため、例えば、実施の形態例の如くリベット６１の周りの［］状のスリット４９，４９間の部分を破壊して、不正開放防止用結合部を破壊しなければ開放できないようにすることにより、不正な開放をした場合には、破壊したことが後で痕跡として残るため、不正な開放を防止することが可能となる。
なお、検査時にもそのリベット６１の周りの［］状のスリット４９，４９間の部分を破壊するが、その場合は、検査記録として残っているため、問題はない。
また、予備の不正開放防止用結合部も開放すれば痕跡が残るようになっているため、検査後に不正した場合にも、その行為が後から判明できる。
【００４０】
（３）不正開放防止止めは、リベット６１止めにより行うことによって、不正な開放を確実に防止できる。
なお、リベット止めと同様の機能が得られるものとして、かしめ止めを採用してもよい。
【００４１】
＜第２の実施の形態例＞
図５は本発明による制御回路装置（役物制御回路装置１１）のボックス体２１の不正開放防止用結合構造の第２の実施の形態例を示す分解斜視図で、図６はその不正開放防止用結合構造部の拡大斜視図である。
これらの図５及び図６において、前述した第１の実施の形態例と同様に、２３は表部部材（蓋部材）、２４は役物制御回路基盤、２５は電子部品、２６はコネクタ部、２７はコネクタ部用開口部、２８は放熱用開口部、４５は取付ボス、４６はワンタッチ止め具、５１は取付穴、５２はコネクタ、５３は確率設定キー、５４は電源コード、５５は電源差込みソケットであり、２９は取付凹部、５６は底部部材、５７は金属板、５８は取付ボス、５９は取付片、６４は重合部（突片部）、６５は結合ボス、６６は重合部（突片部）、６７はボス穴、６８は金属突片部、６９はボス穴、７１は溶着部、７２は刻印である。
【００４２】
この第２の実施の形態例では、樹脂製の底部部材５６を採用して、この樹脂製の底部部材５６と役物制御回路基盤２４との間に金属板５７を介装している。
即ち、図５に示すように、蓋部材２３の四隅部に取付凹部２９，２９，２９，２９を形成して、底部部材５６の対応する部分に、取付ボス５８，５８，５８，５８を起設すると共に、金属板５７の対応する部分にも、取付片５９，５９，５９，５９を形成する。
そして、底部部材５６の平行する両側部に、外側へ突出する重合部である一対の突片部６４，６４をそれぞれ形成して、その各突片部６４，６４上に結合ボス６５，６５をそれぞれ一体に起設しておく。
さらに、蓋部材２３の平行する両側部にも、外側へ突出する重合部である一対の突片部６６，６６をそれぞれ形成して、その各突片部６６，６６にボス穴６７，６７をそれぞれ形成しておく。
また、金属板５７の平行する両側部にも、外側へ突出する一本の金属突片部６８を形成して、その金属突片部６８にボス穴６９を形成しておく。
【００４３】
以上において、ボックス体２１の組み立ては、底部部材５６の取付ボス５８，５８，５８，５８上に金属板５７の取付片５９，５９，５９，５９を重ね、その上に役物制御回路基盤２４の取付穴５１，５１，５１，５１部分を重ねて、さらにその上に蓋部材２３の取付凹部２９，２９，２９，２９を重ねた状態で、これらを図示しないビスにより固定する。
そして、以上のボックス体２１の組み立ての際に、底部部材５６の突片部６４，６４，６４，６４の上には、蓋部材２３の突片部６６，６６，６６，６６が載り、しかも、そのうち片側当たりで一方の間に、図６に示したように、金属板５７の金属突片部６８，６８が挿入された状態になっている。
さらに、このような重合部の上には、ボス穴６９，６９，６７，６７，６７，６７を貫通して結合ボス６５，６５，６５，６５がそれぞれ突出した状態となっている。
【００４４】
従って、ボックス体２１の組立後は、突片部６４，６６間に金属突片部６８が挿入されていない方の重合部において、樹脂製の結合ボス６５を熱溶着することで、図６に示すように、突片部６６上に広がった溶着部７１を形成すると同時に、この溶着部７１上に、メーカー名の頭文字等の刻印７２を施しておく。例えば、専用の器具により溶着と同時に刻印７２を施す。
こうして、これらの各溶着部７１，７１の部分が不正開放防止用結合部となっており、また、突出状態にある残る各１個ずつの結合ボス６５，６５の部分が予備の不正開放防止用結合部となる。
なお、ボックス体２１を開放する検査時は、結合ボス６５の熱溶着による不正開放防止用結合部を破壊し、即ち、金属突片部６８が挿入されていない方で溶着部７１がある突片部６４，６６を、図示しないニッパ等の工具や刃物により切断する。
また、検査後は、残る予備の不正開放防止用結合部である突片部６４，６６間に金属突片部６８が挿入された方の結合ボス６５を、専用器具により熱溶着する。
この結果、ボックス体２１を不正に開放しようとしても、突片部６４，６６間には金属突片部６８があるため、ニッパ等の工具や刃物で容易に切断することができないものとなる。
【００４５】
以上の通り、第２の実施の形態例の役物制御回路装置１１によれば、前述した第１の実施の形態例により得られる前記（１），（２）の効果に加えて、次の（４），（５）の効果を発揮できる。
（４）不正開放防止止めは、熱溶着（樹脂製結合ボス６５の溶着部７１）により行うことによって、不正な開放を確実に防止できる。
（５）予備として備えられた不正開放防止用結合部（突片部６４，６６間）には、金属板（金属突片部６８）が挿入されているため、破壊しづらいものとなり、検査後の不正開放をより確実に防止できる。
また、重合部が突出しているため、破壊したことがすぐに分かる。
【００４６】
＜第３の実施の形態例＞
図７は本発明による制御回路装置（役物制御回路装置１１）の不正開放防止用結合構造の第３の実施の形態例を示すもので、遊技盤裏面側への取り付けも併せて示した分解斜視図である。
この図７において、前述した第１の実施の形態例と同様に、３は遊技盤、４は上部入賞球案内部材、５は下部入賞球案内部材、６は可変表示装置（メイン役物装置）、７は中継基盤であり、８１はボックス体、８２は底部部材、８３は表部部材（蓋部材）、８４は取付ボス、８５は取付ボス、８６はワンタッチ止め具、８７は結合ボス、８８は重合部（突片部）、８９は重合部（突片部）である。
【００４７】
この第３の実施の形態例では、前記役物制御回路装置１１の前記役物制御回路基盤２４を収納したボックス体８１を、上部入賞球案内部材４及び下部入賞球案内部材５に対して不正開放防止結合構造を兼ねた不正取り外し防止構造としている。
即ち、図７に示すように、ボックス体８１は、ともに樹脂製の底部部材８２と表部部材である蓋部材８３とからなる縦長形状のもので、このボックス体８１を取り付けるために、上部入賞球案内部材４と下部入賞球案内部材５とに左右２個ずつで計４個の取付ボス８４，８４，８４，８４を形成して、縦長形状の底部部材８２の上下に対応する取付ボス８５，８５，８５，８５を形成している。
この底部部材８２の取付ボス８５，８５，８５，８５を入賞球案内部材４，５の取付ボス８４，８４，８４，８４にそれぞれ合わせて、ワンタッチ止め具８６，８６，８６，８６により取り付ける。
【００４８】
また、上部入賞球案内部材４の左側部に上下２個の結合ボス８７，８７を形成すると共に、下部入賞球案内部材５の左側部にも１個の結合ボス８７を形成しておく。
さらに、底部部材８２の左側部に重合部である上中下３個の突片部８８，８８，８８を形成して、蓋部材８３の左側部にも対応する重合部である３個の突片部８９，８９，８９を形成しておく。
底部部材８２と蓋部材８３とを四隅部でビス止めしたことによるボックス体８１の組立状態において、底部部材８２の突片部８８，８８，８８と蓋部材８３の突片部８９，８９，８９は何れも重合状態にある。
【００４９】
従って、前述したように入賞球案内部材４，５の取付ボス８４，８４，８４，８４に底部部材８２の取付ボス８５，８５，８５，８５をそれぞれ合わせ、ワンタッチ止め具８６，８６，８６，８６により遊技盤３裏面に取り付けたボックス体８１は、さらに、その底部部材８２の突片部８８，８８，８８と蓋部材８３の突片部８９，８９，８９とによる３つの重合部の内の１箇所を、入賞球案内部材４，５に設けた３個の結合ボス８７，８７，８７の１つにリベット止めする。
即ち、例えば、最も上の突片部８８，８９を結合ボス８７に対して図示しないリベット（前述した第１の実施の形態例におけるリベット６１参照）により同時に結合する。
こうして、最も上の結合ボス８７及び突片部８８，８９の部分が不正開放防止用結合部を兼ねた不正取り外し防止構造となっており、また、残る下方の２組の結合ボス８７及び突片部８８，８９と結合ボス８７及び突片部８８，８９の部分が予備の不正開放防止用結合部を兼ねた不正取り外し防止構造となっている。
【００５０】
この結果、ボックス体８１を開放する検査時は、リベット止めによる不正開放防止用結合部を兼ねた不正取り外し防止構造部分を破壊し、即ち、ボックス体８１の樹脂製の突片部８８，８９を、図示しないニッパ等の工具や刃物により切断する。
また、検査後は、残る予備の不正開放防止用結合部を兼ねた不正取り外し防止構造部分である２組の結合ボス８７及び突片部８８，８９または結合ボス８７及び突片部８８，８９の部分の何れかをリベット止めする。
このように、予備の不正開放防止用結合部を兼ねた不正取り外し防止構造部分を２組残しておくようにしてもよい。
【００５１】
以上の通り、第３の実施の形態例の役物制御回路装置１１によれば、前述した第１及び第２の実施の形態例により得られる前記（１），（２），（３）または（４），（５）の効果に加えて、次の（６）の効果を発揮できる。
（６）役物制御回路装置１１を遊技機の裏面側（第３の実施の形態例では、遊技盤３の裏面の入賞球案内部材４，５に対するものとしたが、遊技盤３の裏面に直接或いは裏メカベース盤２に対するものとしてもよい）から取り外せないような不正取り外し防止止めを行うことによって、役物制御回路基盤２４に対する不正行為をより確実に防止できる。
【００５２】
＜第４の実施の形態例＞
図８は本発明による制御回路装置（役物制御回路装置１１）の不正開放防止用結合構造の第４の実施の形態例を示すもので、遊技盤裏面側の要部を示した拡大斜視図であり、図９はその制御回路装置（役物制御回路装置１１）の不正取り外し防止構造部を示すもので、（ａ）はワイヤーを鉛に通す前の状態を示す分解斜視図、（ｂ）はワイヤーを通した鉛を潰して固定した状態を示す斜視図である。
これらの図８及び図９において、前述した第１の実施の形態例と同様に、２は基枠体（裏メカベース盤）、２ａは開口部、８は中継基盤、１５は他の制御回路、１６，１７，１８はフレキシブルプリント配線基板、１１は役物制御回路装置、２１はボックス体、２２は底部部材、２３は表部部材（蓋部材）、３５は折り返し片、４４は切欠形状部、４５は取付ボス、４６はワンタッチ止め具、４７，４８は重合部、４７ａ，４８ａは結合穴、４９はスリット、５３は確率設定キー、６１はリベット、６３は封印シールであり、９１は結合ボス、９２は重合部（突片部）、９３は重合部（突片部）、９４は封印シール、９５はワイヤー、９６は鉛玉、９７は刻印である。
【００５３】
この第４の実施の形態例では、役物制御回路装置１１のボックス体２１を、裏メカベース盤２に対して不正開放防止結合構造を兼ねた不正取り外し防止構造としている。
即ち、図８に示すように、裏メカベース盤２の開口部２ａの下部において、前述した第１の実施の形態例と同様に、ボックス体２１（蓋部材２３）の周囲の取付ボス４５，４５，４５にてワンタッチ止め具４６，４６，４６の押し込み操作により役物制御回路装置１１は取り付けられており、この役物制御回路装置１１（ボックス体２１）の上方の裏メカベース盤２に、左右２個の結合ボス９１，９１を形成しておく。
そして、ボックス体２１の上部側面で、底部部材２２の折り返し片３５の一側部に重合部である突片部９２を形成すると共に、蓋部材２３の切欠形状部４４の一側部にも対応する重合部である突片部９３を形成しておく。
【００５４】
また、ボックス体２１（蓋部材２３）の左側面と裏メカベース盤２とにわたって封印シール９４を貼り付けている。
このようなボックス体２１と裏メカベース盤２との間において、裏メカベース盤２に設けた左右２個の結合ボス９１，９１の内の一方の結合ボス９１（図示例では右側のもの）の通し穴にワイヤー９５を通して、このワイヤー９５を、ボックス体２１の重合状態にある突片部９２，９３の通し穴に通す。
そして、このワイヤー９５の両端を、図９（ａ）に拡大して示すように、鉛玉９６の直径方向の通し穴に通して、ワイヤー９５をループ状にしてから、図９（ｂ）に示したように、鉛玉９６を厚さ方向に潰すと同時に、その鉛玉９６の表面に、メーカー名の頭文字等の刻印９７を施しておく。
なお、鉛玉９６に代えて、樹脂を用い、熱で溶かして潰して同様の刻印を施してもよい。
【００５５】
従って、裏メカベース盤２に設けた左右２個の結合ボス９１，９１の内の一方の結合ボス９１と、ボックス体２１の重合状態にある突片部９２，９３と、これらを通したワイヤー９５と、このワイヤー９５をループ状に固定した鉛玉９６とによって、不正開放防止用結合部を兼ねた不正取り外し防止構造となっており、また、裏メカベース盤２に設けた残る他方の結合ボス９１（図示例では左側のもの）が、予備の不正開放防止用結合部を兼ねた不正取り外し防止構造となる。
この結果、ボックス体２１を開放する検査時は、ワイヤー止めによる不正開放防止用結合部を兼ねた不正取り外し防止構造部分を破壊し、即ち、裏メカベース盤２に設けられてワイヤー９５が通された結合ボス９１を、図示しないニッパ等の工具や刃物により切断したり、或いは、鉛玉９６の部分を、図示しない工具等により破壊する。
また、検査後は、裏メカベース盤２に残る予備の不正開放防止用結合部を兼ねた不正取り外し防止構造部分である結合ボス９１（図示例では左側のもの）の通し穴に、前述と同様に、新たなワイヤー９５を通して、ボックス体２１の突片部９２，９３の通し穴に通してから、新たな鉛玉９６の潰しによりワイヤー９５をループ状に固定する。
【００５６】
以上の通り、第４の実施の形態例の役物制御回路装置１１によれば、前述した第１から第３の実施の形態例により得られる前記（１），（２），（３）または（４），（５），（６）の効果を発揮できる。
そして、ワイヤー９５で固定してあるため、ワンタッチ止め具４６を外せば、ボックス体２１がワイヤー９５である程度固定されたまま自由になるため、例えば、役物制御回路基盤２４の裏側の点検時などに効果的である。
【００５７】
なお、以上の実施の各形態例においては、パチンコ遊技機の遊技盤裏面側に取り付ける役物制御回路装置としたが、本発明はこれに限定されるものではなく、他の電子機器における制御回路装置であってもよい。
さらに、制御回路装置のボックス体の形状等も任意であり、その他、制御回路装置の内部構成を含む具体的な細部構造等についても適宜に変更可能であることは勿論である。
【００５８】
【発明の効果】
以上のように、請求項１に記載の発明に係る制御回路装置によれば、底部部材は、複数の突片部を側部に形成すると共に、該突片部にボスを起設し、表部部材は、前記突片部の夫々と重合する複数の重合部を側部に形成すると共に、該重合部に前記ボスが貫通するボス穴を形成し、前記重合部にボスが突出した状態でボスを溶着することにより、破壊しない限りボックス体を開放できなくする不正開放防止用結合部を形成したため、例えば、抜き打ち的に行われるＲＯＭ検査の際に、予め止められている不正開放防止用結合部を破壊して、検査を行った後、再度閉鎖する場合には、予備として備えられた不正開放防止用結合部により、再度不正な開放を防止するようにボックス体を閉めておくことができる。
従って、制御回路基盤を収容したボックス体の不正な開放を防止できることは勿論のこと、検査の際にボックス体を開放することができ、しかも、その検査後には、ボックス体を不正開放防止状態に戻しておくことができる。
また、不正開放防止用結合部はボックス体を開放した場合に開放した痕跡を残せる構造としたため、ボックス体の不正な開放をした場合には、破壊したことが後で痕跡として残ることによって、不正な開放を防止することができる。
そして、金属板は、不正開放防止用結合部の内の何れかと対応させて金属突片部を側部に形成すると共に、該金属突片部にボスが貫通する穴を形成し、前記金属突片部を前記突片部と重合部との間に挿入させたため、その挿入された金属突片部の存在によって、破壊しづらいものとなり、検査後の不正開放をより確実に防止できる。
【図面の簡単な説明】
【図１】本発明を適用した一例としての遊技機を示すもので、本体枠に遊技盤及び基枠体を取り付けた状態の背面図である。
【図２】本発明による不正開放防止用結合構造の第１の実施の形態例を示すもので、図１の制御回路装置の拡大斜視図である。
【図３】図２の制御回路装置の分解斜視図である。
【図４】図２の制御回路装置の要部を示す拡大斜視図である。
【図５】本発明による制御回路装置の不正開放防止用結合構造の第２の実施の形態例を示す分解斜視図である。
【図６】図５の不正開放防止用結合構造部の拡大斜視図である。
【図７】本発明による制御回路装置の不正開放防止用結合構造の第３の実施の形態例を示すもので、遊技盤裏面側への取り付けも併せて示した分解斜視図である。
【図８】本発明による制御回路装置の不正開放防止用結合構造の第４の実施の形態例を示すもので、遊技盤裏面側の要部を示した拡大斜視図である。
【図９】図８の制御回路装置の不正取り外し防止構造部を示すもので、（ａ）はワイヤーを鉛に通す前の状態を示す分解斜視図、（ｂ）はワイヤーを通した鉛を潰して固定した状態を示す斜視図である。
【符号の説明】
１１  制御回路装置
２１  ボックス体
２２  底部部材
２３  表部部材
２４  制御回路基盤
２５  電子部品
４１，４２  重合部（段差部）
４１ａ，４２ａ  結合穴
４７，４８  重合部
４７ａ，４８ａ  結合穴
４９  スリット
５６  底部部材
５７  金属板
６１  リベット
６３  封印シール
６４  重合部（突片部）
６５  結合ボス
６６  重合部（突片部）
６８  金属突片部
７１  溶着部
７２  刻印
８１  ボックス体
８２  底部部材
８３  表部部材
８７  結合ボス
８８  重合部（突片部）
８９  重合部（突片部）
９１  結合ボス
９２  重合部（突片部）
９３  重合部（突片部）
９４  封印シール
９５  ワイヤー
９６  鉛玉
９７  刻印
【図１】
0003712460.tif 000002
【図２】
0003712460.tif 000003
【図３】
0003712460.tif 000004
【図４】
0003712460.tif 000005
【図５】
0003712460.tif 000006
【図６】
0003712460.tif 000007
【図７】
0003712460.tif 000008
【図８】
0003712460.tif 000009
【図９】
0003712460.tif 000010